(57)【要約】【課題】被加熱物を加熱可能な熱交換器を備えた貯湯式給湯機において、給湯端末への給湯温度の変動幅を抑制すること。【解決手段】本発明の貯湯式給湯機は、貯湯タンク１０１の上部領域から導出されて熱交換器（追いだき熱交換器１２１）を通過した熱源水を加熱手段（ＨＰＵ２００）を経由させずに貯湯タンク１０１の上部領域に流入させる第１経路と、熱交換器を通過した熱源水を加熱手段を経由させずに貯湯タンク１０１の下部領域に流入させる第２経路と、熱交換器を通過した熱源水を加熱手段を経由させた上で貯湯タンク１０１の下部領域に流入させる第３経路とを切り替える流路切替手段（第一流路切替弁１０５、第二流路切替弁１０８）と、第１経路で熱源水を循環させる運転の実行中に第１経路から第２経路へ切り替える場合に第１経路から第３経路に切り替えた後に第２経路へ切り替えるように流路切替手段を制御する制御手段とを備える。【選択図】図１
2014020615.tif 000002
【特許請求の範囲】
【請求項１】
水を加熱して湯を生成可能な加熱手段と、
上層側の湯と下層側の水とを積層状態で貯留可能な貯湯タンクと、
被加熱物を熱源水と熱交換することにより加熱する熱交換器と、
前記貯湯タンクの上部領域から取り出された湯を前記熱源水として前記熱交換器に送り、前記熱交換器を通過した前記熱源水を前記加熱手段を経由させずに前記貯湯タンクの上部領域に流入させる第１経路と、前記貯湯タンクの上部領域から取り出された湯を前記熱源水として前記熱交換器に送り、前記熱交換器を通過した前記熱源水を前記加熱手段を経由させずに前記貯湯タンクの下部領域に流入させる第２経路と、前記貯湯タンクの上部領域から取り出された湯を前記熱源水として前記熱交換器に送り、前記熱交換器を通過した前記熱源水を前記加熱手段を経由させた上で前記貯湯タンクの下部領域に流入させる第３経路とを選択的に形成可能な循環流路と、
前記第１経路と、前記第２経路と、前記第３経路とを切り替える流路切替手段と、
前記熱源水を循環させる熱源循環ポンプと、
前記第１経路で前記熱源水を循環させる運転の実行中に前記第１経路から前記第２経路へ切り替える場合に、前記第１経路から前記第３経路に切り替えた後に前記第２経路へ切り替えるように前記流路切替手段を制御する制御手段と、
を備える貯湯式給湯機。
【請求項２】
前記制御手段は、前記第１経路で前記熱源水を循環させる運転の実行中に、配管の凍結を予防する凍結予防運転の要求があった場合に、前記第１経路から前記第３経路に切り替えた後に前記第２経路へ切り替えるように前記流路切替手段を制御する請求項１記載の貯湯式給湯機。
【請求項３】
前記流路切替手段は、第一流路切替弁、第二流路切替弁および第三流路切替弁を含み、
前記第１経路は、前記貯湯タンクの上部領域から前記第二流路切替弁を経由して前記熱交換器に至り、前記熱交換器から前記第三流路切替弁、前記熱源循環ポンプおよび前記第一流路切替弁を順次経由して前記貯湯タンクの上部領域に至る経路であり、
前記第２経路は、前記貯湯タンクの上部領域から前記第二流路切替弁を経由して前記熱交換器に至り、前記熱交換器から前記第三流路切替弁、前記熱源循環ポンプおよび前記第一流路切替弁を順次経由して前記貯湯タンクの下部領域に至る経路であり、
前記第３経路は、前記貯湯タンクの上部領域から前記第二流路切替弁を経由して前記熱交換器に至り、前記熱交換器から前記第三流路切替弁、前記熱源循環ポンプ、前記加熱手段および前記第一流路切替弁を順次経由して前記貯湯タンクの下部領域に至る経路である請求項１または２記載の貯湯式給湯機。
【請求項４】
前記流路切替手段は、前記熱交換器を通過した前記熱源水の流路を、前記貯湯タンクの上部領域に通じる流路と、前記貯湯タンクの下部領域に通じる流路とに切り替える流路切替弁を含み、
前記制御手段は、前記第１経路から前記第３経路に切り替える際に、前記流路切替弁の弁体が移動と一時停止とを繰り返しながら前記第１経路のときの位置から前記第３経路のときの位置へ変位するように前記流路切替弁を制御する請求項１乃至３の何れか１項記載の貯湯式給湯機。
【請求項５】
前記貯湯タンクの上部領域から取り出された湯を給湯端末へ供給する給湯動作を実施可能であり、
前記第１経路または前記第２経路で前記熱源水を循環させる運転を終了するときに前記熱源循環ポンプを停止させる際に、前記給湯動作が実施中である場合には、前記給湯動作が実施中でない場合と比べて、前記熱源循環ポンプが完全に停止するまでの時間が長くなるように前記熱源循環ポンプを制御するポンプ制御手段を備える請求項１乃至４の何れか１項記載の貯湯式給湯機。
【請求項６】
前記熱交換器は、浴槽に貯留された浴槽水を前記被加熱物として加熱するものである請求項１乃至５の何れか１項記載の貯湯式給湯機。
【発明の詳細な説明】
【技術分野】
【０００１】
本発明は、貯湯式給湯機に関する。
【背景技術】
【０００２】
上層側の湯と下層側の水と積層状態で貯留可能な貯湯タンク内に貯留した低温水を底部から流出させ、この低温水をヒートポンプ式加熱源等の加熱手段にて沸き上げて貯湯タンクの上部に戻す沸き上げ運転を行うことにより、貯湯タンク内に湯を貯える貯湯式給湯機において、被加熱物（例えば、浴槽に貯留された浴槽水）を加熱するための熱交換器を備え、貯湯タンクから取り出した湯を熱源水として上記熱交換器を経由させて貯湯タンクに戻す加熱動作を行うことにより、例えば浴槽の追いだき（保温あるいは昇温）を可能とする技術が知られている。特許文献１には、浴槽水を温めるために、貯湯タンク上部から湯を取り出し、追いだき熱交換器で浴槽水と熱交換し、熱交換後の湯水を貯湯タンクの複数の異なる高さ位置に戻すことができる貯湯式給湯機が開示されている。特許文献１の貯湯式給湯機では、上記追いだき熱交換器に供給する貯湯タンク上部の湯水の出湯経路は、１箇所であり、この出湯経路は、途中で分岐するが給湯口（給湯端末）への出湯経路とも同一である。
【先行技術文献】
【特許文献】
【０００３】
【特許文献１】特開２００９−６８８２５号公報
【発明の概要】
【発明が解決しようとする課題】
【０００４】
従来の貯湯式給湯機では、貯湯タンクの上部と追いだき熱交換器への経路とが、給湯口（給湯端末）と連結しているため、浴槽加熱運転の開始・終了前後に、給湯口（給湯端末）で給湯を継続している場合、給湯口（給湯端末）からの湯水の出湯温度が変動し易い。また、浴槽加熱運転中に、ヒートポンプ配管の凍結予防運転を行う場合には、切替弁を用いて、ヒートポンプユニットに追いだき熱交換器通過後の湯水を循環させる経路とする。そのため、経路が長尺化することにより、圧力損失が増加し、浴槽加熱運転の循環流量が減少し、結果として、貯湯タンクの上部で追いだき熱交換器への経路と連結している給湯口（給湯端末）からの出湯温度も変動することになる。
【０００５】
本発明は、上述のような課題を解決するためになされたもので、被加熱物を加熱可能な熱交換器を備えた貯湯式給湯機において、給湯端末への給湯温度の変動幅を抑制することを目的とする。
【課題を解決するための手段】
【０００６】
本発明に係る貯湯式給湯機は、水を加熱して湯を生成可能な加熱手段と、上層側の湯と下層側の水とを積層状態で貯留可能な貯湯タンクと、被加熱物を熱源水と熱交換することにより加熱する熱交換器と、貯湯タンクの上部領域から取り出された湯を熱源水として熱交換器に送り、熱交換器を通過した熱源水を加熱手段を経由させずに貯湯タンクの上部領域に流入させる第１経路と、貯湯タンクの上部領域から取り出された湯を熱源水として熱交換器に送り、熱交換器を通過した熱源水を加熱手段を経由させずに貯湯タンクの下部領域に流入させる第２経路と、貯湯タンクの上部領域から取り出された湯を熱源水として熱交換器に送り、熱交換器を通過した熱源水を加熱手段を経由させた上で貯湯タンクの下部領域に流入させる第３経路とを選択的に形成可能な循環流路と、第１経路と、第２経路と、第３経路とを切り替える流路切替手段と、熱源水を循環させる熱源循環ポンプと、第１経路で熱源水を循環させる運転の実行中に第１経路から第２経路へ切り替える場合に、第１経路から第３経路に切り替えた後に第２経路へ切り替えるように流路切替手段を制御する制御手段とを備えたものである。
【発明の効果】
【０００７】
本発明によれば、被加熱物を加熱可能な熱交換器を備えた貯湯式給湯機において、給湯端末への給湯温度の変動幅を抑制することが可能となる。
【図面の簡単な説明】
【０００８】
【図１】本発明の実施の形態１の貯湯式給湯機を示す構成図である。
【図２】本発明の実施の形態１の貯湯式給湯機における第１経路を示す図である。
【図３】本発明の実施の形態１の貯湯式給湯機における第２経路を示す図である。
【図４】本発明の実施の形態１の貯湯式給湯機における第３経路を示す図である。
【図５】本発明の実施の形態２の貯湯式給湯機におけるＳＳ制御時の第一流路切替弁の弁体のステップ位置の変化を示す図である。
【図６】本発明の実施の形態３の貯湯式給湯機におけるＰＳＳ制御時の熱源循環ポンプの回転数の変化を示す図である。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の実施の形態１の貯湯式給湯機を示す構成図である。なお、図中において、温度センサや制御部１０２，２０１と各機能部品とを接続するリード線などは省略する。本実施形態の貯湯式給湯機は、貯湯ユニット１００と、加熱手段としてのヒートポンプユニット（以下ＨＰＵ）２００とを有している。貯湯ユニット１００は、配管１０３，１３１および電気配線（図示せず）を介してＨＰＵ２００と接続されている。また、貯湯ユニット１００は、配管１４５，１４６を介して浴槽３００と接続されている。本実施形態の貯湯式給湯機は、ＨＰＵ２００にて沸き上げられた湯を貯湯ユニット１００内の貯湯タンク１０１内に貯留可能であり、貯湯タンク１０１に貯留した湯を例えば台所や洗面所の蛇口、シャワー、浴槽３００などの給湯端末に供給する給湯動作を実施可能になっている。貯湯タンク１０１内には、上層側の湯（高温水）と、下層側の水（低温水）とが密度差に温度成層を形成して積層状態で貯留可能である。
【００１１】
貯湯ユニット１００内には、貯湯タンク１０１のほか、貯湯タンク１０１から供給される熱源水と浴槽３００から循環する湯水（浴槽水）と熱交換することにより浴槽水を加熱可能な追いだき熱交換器１２１と、流路切替手段としての第一流路切替弁１０５、第二流路切替弁１０８および第三流路切替弁１２７と、熱源水等の湯水を循環させる熱源循環ポンプ１２９と、浴槽水を循環させる風呂循環ポンプ１２４と、貯湯タンク１０１の上部から供給される高温の湯と給水配管１３９，１４１から供給される低温水とを混合して温度調節する混合手段１１４（給湯混合弁１１５，風呂混合弁１１６）と、上述した弁類およびポンプ類の動作を制御する制御部１０２（制御手段）と、湯水（熱源水）の循環流路を形成するための後述の配管類とが更に内蔵されている。
【００１２】
ＨＰＵ２００は、詳細な図示を省略するが、空気の熱を吸収して水を加熱して湯とすることのできる冷凍サイクル（ヒートポンプサイクル）を搭載しており、湯水の出入り口となる流入口２０５および流出口２０６と、高温冷媒と湯水との熱交換を行う沸き上げ用熱交換器２０３と、流入口２０５と沸き上げ用熱交換器２０３とを接続する配管２０２と、流出口２０６と沸き上げ用熱交換器２０３とを接続する配管２０４と、冷凍サイクルを構成する図示しない圧縮機および膨張弁や、送風ファン等の動作を制御する制御部２０１とを有している。制御部２０１は、貯湯ユニット１００内の制御部１０２と通信可能に接続されている。
【００１３】
浴槽３００に設けられた浴槽アダプタ３０１には、配管１４５，１４６の一端がそれぞれ接続されている。配管１４５の他端は、貯湯ユニット１００の風呂戻り口１５２に接続されている。配管１４６の他端は、貯湯ユニット１００の風呂往き口１５３に接続されている。
【００１４】
貯湯タンク１０１の上部領域には、第１上部口１０１ａと第２上部口１０１ｂとが設けられている。貯湯タンク１０１の下部領域には、第１下部口１０１ｃと第２下部口１０１ｄと入水口１０１ｅとが設けられている。
【００１５】
配管１３４は、貯湯タンク１０１の下部（第１下部口１０１ｃ）と排水栓１３５とを接続している。配管１３７は、排水栓１３５と排水口１４９とを接続している。通常使用時には貯湯タンク１０１内は常に湯水で満水状態に維持されるが、非常時等に貯湯タンク１０１内の湯水を排水する必要のある場合には、排水栓１３５を開くことにより貯湯タンク１０１内の湯水を配管１３４、排水栓１３５、配管１３７を経由させて排水口１４９から排水することができる。
【００１６】
配管１３６は、排水栓１３５と、第三流路切替弁１２７のｊポートとを接続している。配管１２８は、第三流路切替弁１２７のｉポートと、熱源循環ポンプ１２９の吸入口とを接続している。配管１３０は、熱源循環ポンプ１２９の吐出口と、ＨＰ往き口１４８とを接続している。配管１３１は、ＨＰ往き口１４８と、ＨＰＵ２００の流入口２０５とを接続している。配管１０３は、ＨＰＵ２００の流出口２０６と、ＨＰ戻り口１４７とを接続している。配管１０４は、ＨＰ戻り口１４７と、第一流路切替弁１０５のｄポートとを接続している。配管１０６の一端は第一流路切替弁１０５のａポートに接続され、他端側は配管１０７と配管１１１とに分岐している。配管１０７は、第二流路切替弁１０８のｇポートに接続されている。配管１１１は、配管１１２と配管１１３とに分岐している。配管１１２は、貯湯タンク１０１の上部（第１上部口１０１ａ）に接続されている。配管１０９は、第二流路切替弁１０８のｅポートと、貯湯タンク１０１の上部（第２上部口１０１ｂ）とを接続している。配管１１０は、第二流路切替弁１０８のｆポートと、追いだき熱交換器１２１の熱源水の入口とを接続している。配管１２６は、追いだき熱交換器１２１の熱源水の出口と、第三流路切替弁１２７のｈポートとを接続している。配管１３２は、配管１３０の途中から分岐して第一流路切替弁１０５のｂポートに接続されている。配管１３３は、第一流路切替弁１０５のｃポートと、貯湯タンク１０１の下部（第２下部口１０１ｄ）とを接続している。配管１１３は、給湯混合弁１１５，風呂混合弁１１６にそれぞれ接続されている。給水配管１３９は、給水口１５１と、減圧弁１４０の上流側とを接続している。給水配管１４１の一端は減圧弁１４０の下流側に接続され、他端は給湯混合弁１１５，風呂混合弁１１６にそれぞれ接続されている。給水配管１３８は、給水配管１４１の途中から分岐して貯湯タンク１０１の下部（入水口１０１ｅ）に接続されている。給湯混合弁１１５は、配管１４２、給湯流量センサ１４３、配管１４４を経由して給湯口１５０に接続されている。風呂混合弁１１６は、風呂電磁弁１１７、風呂流量センサ１１８、配管１１９を経由して配管１２０の途中に接続されている。配管１２０は、風呂往き口１５３と、追いだき熱交換器１２１とを接続している。配管１２５は、風呂戻り口１５２と、追いだき熱交換器１２１とを接続している。配管１２５の途中には、風呂循環ポンプ１２４と、フロースイッチ１２３と、水位センサ１２２とが設置されている。
【００１７】
貯湯タンク１０１に湯水を貯留する沸き上げ運転は、貯湯タンク１０１の下部から導出された水が、配管１３４、排水栓１３５および配管１３６を経由し、第三流路切替弁１２７をポートｊ→ｉのように経由し、配管１２８、熱源循環ポンプ１２９、配管１３０および１３１を経由してＨＰＵ２００の流入口２０５に流入し、ＨＰＵ２００の流出口２０６から流出した高温の湯が、配管１０３，１０４を経由し、第一流路切替弁１０５をポートｄ→ａのように経由し、配管１０６，１１１，１１２を経由し、貯湯タンク１０１の上部から貯湯タンク１０１内に流入して貯留される運転である。
【００１８】
一方、貯湯タンク１０１に貯留した湯を台所や洗面所の蛇口やシャワー、浴槽３００などの給湯端末に供給する出湯は、以下の経路をたどる。台所、洗面所の蛇口やシャワーに湯を供給する出湯経路は、高温の湯が、貯湯タンク１０１の上部から配管１１２，１１３を経由し、低温水が給水配管１３９、減圧弁１４０、給水配管１４１を経由し、給湯混合弁１１５で高温湯と低温水を混合し適温として、配管１４２、給湯流量センサ１４３、配管１４４を経由して供給される。浴槽３００に湯を供給する出湯経路は、高温の湯が、貯湯タンク１０１の上部から配管１１２，１１３を経由し、低温水が給水配管１３９、減圧弁１４０、給水配管１４１を経由し、風呂混合弁１１６で高温湯と低温水を混合し適温として、風呂電磁弁１１７、風呂流量センサ１１８、配管１１９を経由した後、配管１２０および１４６を経由する流路と、追いだき熱交換器１２１、水位センサ１２２、フロースイッチ１２３、風呂循環ポンプ１２４、配管１２５および１４５を経由する流路とに分かれ、浴槽アダプタ３０１から浴槽３００内に供給される。制御部１０２は、給湯混合弁１１５あるいは風呂混合弁１１６からの給湯温度が目標温度に一致するように、給湯混合弁１１５あるいは風呂混合弁１１６での混合比を制御する機能を有している。
【００１９】
また、浴槽３００の湯水の温度を保温あるいは昇温させる浴槽加熱運転においては、浴槽３００の湯水（浴槽水）は、温度低下した浴槽３００の湯水が浴槽アダプタ３０１、配管１４５，１２５、風呂循環ポンプ１２４、フロースイッチ１２３、水位センサ１２２を経由して追いだき熱交換器１２１に送られ、追いだき熱交換器１２１で加熱されて昇温した湯が、配管１２０および１４６、浴槽アダプタ３０１を経由して再び浴槽３００に戻り、浴槽３００の湯水の温度を昇温させる。
【００２０】
本実施形態の貯湯式給湯機は、貯湯タンク１０１に貯留された高温湯を熱源水として用いて浴槽加熱運転を行う場合に、第一流路切替弁１０５および第二流路切替弁１０８の流路方向を切り替えることにより、図２に示す第１経路で熱源水を循環させる運転と、図３に示す第２経路で熱源水を循環させる運転と、図４に示す第３経路で熱源水を循環させる運転とを選択可能である。図２に示す第１経路による浴槽加熱運転では、貯湯タンク１０１の上部から取り出された高温湯（熱源水）は、配管１０９を経由し、第二流路切替弁１０８をポートｅ→ｆのように経由し、配管１１０を経由して追いだき熱交換器１２１に送られ、追いだき熱交換器１２１で浴槽水と熱交換し、温度低下した熱源水が、配管１２６を経由し、第三流路切替弁１２７をポートｈ→ｉのように経由し、配管１２８、熱源循環ポンプ１２９、配管１３０，１３２を経由し、第一流路切替弁１０５をポートｂ→ａのように経由し、配管１０６，１１１，１１２を経由して貯湯タンク１０１の上部に流入する。
【００２１】
図３に示す第２経路による浴槽加熱運転では、貯湯タンク１０１の上部から取り出された高温湯（熱源水）は、配管１１２，１１１，１０７を経由し、第二流路切替弁１０８をポートｇ→ｆのように経由し、配管１１０を経由して追いだき熱交換器１２１に送られ、追いだき熱交換器１２１で浴槽水と熱交換し、温度が低下した熱源水が、配管１２６を経由し、第三流路切替弁１２７をポートｈ→ｉのように経由し、配管１２８、熱源循環ポンプ１２９、配管１３０，１３２を経由し、第一流路切替弁１０５をポートｂ→ｃのように経由し、配管１３３を経由して貯湯タンク１０１の下部に流入する。
【００２２】
本実施形態の貯湯式給湯機では、ある一定の条件、例えば、貯湯タンク１０１内の蓄熱量が当該家庭・環境で日常使用する熱量の半分以上ある場合などにおいては、図２に示す第１経路による浴槽加熱運転（以下、「上部戻し浴槽加熱運転」とも呼ぶ。）を行う。上部戻し浴槽加熱運転を実施する際は、配管内の一部に残っている可能性がある冷水が貯湯タンク１０１の上部に流入することを抑制するため、まず第２経路を形成して運転を開始し、その後第一流路切替弁１０５をポートｂ→ｃからｂ→ａに切り替え、第二流路切替弁１０８をポートｇ→ｆからｅ→ｆに切り替えることにより、第１経路に切り替えることが望ましい。また、配管内の残水が冷えていない場合などには、最初から第１経路を形成して上部戻し浴槽加熱運転を開始しても良い。一方、上述したような一定の条件が満足されていない場合には、図３に示す第２経路による浴槽加熱運転を行う。
【００２３】
浴槽加熱運転の実行中に、貯湯式給湯機を保護するための保護動作の要求が発生することがある。そのような保護動作の一例として、冬場など外気温が低い場合に、貯湯ユニット１００とＨＰＵ２００とを接続する配管１０３，１３１等の凍結を予防するために配管内の水を循環させる配管凍結予防運転の要求が発生する。図４に示す第３経路による浴槽加熱運転は、配管凍結予防運転の機能を同時に兼ねることのできる浴槽加熱運転である。図４に示す第３経路による浴槽加熱運転では、貯湯タンク１０１の上部から取り出された高温湯（熱源水）は、配管１１２，１１１，１０７を経由し、第二流路切替弁１０８をポートｇ→ｆのように経由し、配管１１０を経由して追いだき熱交換器１２１に送られ、追いだき熱交換器１２１で浴槽水と熱交換し、温度が低下した熱源水が、配管１２６を経由し、第三流路切替弁１２７をポートｈ→ｉのように経由し、配管１２８、熱源循環ポンプ１２９、配管１３０，１３１を経由し、ＨＰＵ２００内の配管２０２、沸き上げ用熱交換器２０３および配管２０４を経由し、配管１０３，１０４を経由し、第一流路切替弁１０５のポートｄ→ｃのように経由し、配管１３３を経由して貯湯タンク１０１の下部に流入する。これにより、浴槽加熱運転を実行しつつ、配管凍結予防運転の機能を同時に発揮することができる。
【００２４】
第１経路での上部戻し浴槽加熱運転の実行中に、配管凍結予防運転の要求が発生した場合には、制御部１０２は、第二流路切替弁１０８をポートｅ→ｆからポートｇ→ｆに切り替え、さらに第一流路切替弁１０５をポートｂ→ａからポートｄ→ｃに切り替えることにより、第３経路に切り替えて、浴槽加熱運転を続行する。これにより、浴槽加熱運転を継続しつつ、配管凍結予防運転の要求に対処することができる。その後、配管凍結予防運転の要求が解消した場合には、第３経路から第１経路に戻して上部戻し浴槽加熱運転に復帰するようにしても良いし、あるいは第３経路から第２経路に切り替えて第２経路での浴槽加熱運転に移行するようにしてもよい。第３経路から第１経路に戻して上部戻し浴槽加熱運転に復帰するようにした場合、追いだき熱交換器１２１を通過した熱源水の温度は、貯湯タンク１０１の上部に貯留された湯の温度よりは低いが、低温水よりは高いため、この熱源水を貯湯タンク１０１の上部に流入させることで、この熱源水の持つ熱量を給湯などに再利用することが可能となる。ただし、配管凍結予防運転の要求が発生して第３経路で浴槽加熱運転を行った場合、追いだき熱交換器１２１を通過した熱源水が配管１３１，１０３等を通ってこれらを温めることによって更に熱量（温度）が低くなるため、少なくとも配管凍結予防運転の要求が解消した直後は、第３経路から第２経路に切り替えて第２経路での浴槽加熱運転に移行することにより、そのような熱量の低下した熱源水を貯湯タンク１０１の上部に流入させず貯湯タンク１０１の下部に流入させることが望ましい。
【００２５】
本実施形態では、上記のような第３経路を可能とする配管経路構成とすることで、１台の熱源循環ポンプ１２９のみを用いて、浴槽加熱運転と配管凍結予防運転とを同時に行うことが可能となる。
【００２６】
第１経路での浴槽加熱運転と、給湯端末への給湯動作とが同時に実施された場合には、浴槽水と熱交換した後の中温の熱源水が配管１１１から配管１１３へ流れる。このため、この中温の熱源水と、貯湯タンク１０１の上部から取り出された高温湯とが配管１１３で合流して混合手段１１４に流入する。この状態で、第１経路から第２経路へ切り替えたとすると、浴槽水と熱交換した後の中温の熱源水が配管１１３へ流れなくなり、貯湯タンク１０１の上部から取り出された高温湯のみが配管１１３を通って混合手段１１４に流入する状態となるため、配管１１３から混合手段１１４に流入する湯の温度が変動する。これが原因となって、混合手段１１４から給湯端末への給湯温度が変動する。このような給湯端末への給湯温度の変動を抑制するため、制御部１０２は、第１経路での浴槽加熱運転の実行中に第２経路への切り替え要求が発生した場合には、第１経路から一旦第３経路へ切り替え、一時的に第３経路で熱源水を循環させた後、第２経路へ切り替える。このように、第１経路から第２経路へ切り替える際に、第３経路を経由することで、混合手段１１４から給湯端末への給湯温度の変動を、第３経路を経由しない場合と比較して、例えば２〜３度以上軽減することができる。
【００２７】
実施の形態２．
次に、図５を参照して、本発明の実施の形態２について説明するが、上述した実施の形態１との相違点を中心に説明し、同一部分または相当部分は同一符号を付し説明を省略する。本実施の形態２の貯湯式給湯機のハードウェア構成は、実施の形態１と同様であるので、説明を省略する。
【００２８】
第１経路での浴槽加熱運転の実行中に第１経路から第３経路へ切り替える際、第一流路切替弁１０５は、ポートｂ→ａからｄ→ｃに切り替えられる。このとき、給湯端末への給湯動作が実施されていると、浴槽水と熱交換した後の中温の熱源水が配管１１３へ流れなくなることにより配管１１３から混合手段１１４に流入する湯の温度が急上昇するため、混合手段１１４による温度調節の追従遅れが生じ、混合手段１１４から給湯端末へ供給される湯の温度が一時的に目標温度より高温（例えば５度以上程度高い温度）となる現象が発生する。本実施形態では、このような現象を回避するため、制御部１０２は、第１経路での浴槽加熱運転の実行中に第１経路から第３経路への切り替え要求が発生した場合に、第一流路切替弁１０５の弁体が、第１経路に対応するポートｂ→ａの位置から、第３経路に対応するポートｄ→ｃの位置まで、移動（微動作）と一時停止とを繰り返しながら変位するように第一流路切替弁１０５を制御する。以下、このような制御を「ＳＳ制御（Ｓｌｏｗ  Ｓｔｅｐ制御）」と称する。
【００２９】
図５は、ＳＳ制御時の第一流路切替弁１０５の弁体のステップ位置の変化を示す図である。図５に示すように、ＳＳ制御では、第一流路切替弁１０５の弁体を、微動作（例えば、２０ステップ程度）させ、一定時間（例えば１０秒）、若しくは給湯端末への給湯温度が安定するまでの時間、一時停止させた後、再度微動作（例えば２０ステップ程度）させる、という制御を繰り返す。これにより、第一流路切替弁１０５の弁体が、第１経路に対応するポートｂ→ａの位置から、第３経路に対応するポートｄ→ｃの位置まで徐々に移動するので、配管１１３から混合手段１１４に流入する湯の温度の急変が防止され、配管１１３から混合手段１１４に流入する湯の温度が徐々に上昇する。このため、混合手段１１４による温度調節が確実に追従することができ、混合手段１１４から給湯端末への給湯温度の変動を確実に低減（例えば２度以内程度）にすることができる。
【００３０】
実施の形態３．
次に、図６を参照して、本発明の実施の形態３について説明するが、上述した実施の形態１との相違点を中心に説明し、同一部分または相当部分は同一符号を付し説明を省略する。本実施の形態２の貯湯式給湯機のハードウェア構成は、実施の形態１と同様であるので、説明を省略する。
【００３１】
本実施形態では、制御部１０２は、第１経路または第２経路での浴槽加熱運転を終了して熱源循環ポンプ１２９を停止する際に、給湯端末への給湯動作が実施中である場合には、給湯端末への給湯動作が実施中でない場合と比べて、熱源循環ポンプ１２９が完全に停止するまでの時間が長くなるように熱源循環ポンプ１２９を制御する。以下、このような制御を「ＰＳＳ制御（Ｐｕｍｐ  Ｓｌｏｗ  Ｓｔｏｐ制御）」と称する。
【００３２】
図６は、ＰＳＳ制御時の熱源循環ポンプ１２９の回転数の変化を示す図である。図６に示すように、第１経路または第２経路での浴槽加熱運転を終了して熱源循環ポンプ１２９を停止する際に、給湯端末への給湯動作が実施中でない場合には、熱源循環ポンプ１２９を即座に停止する。この場合、熱源循環ポンプ１２９の回転数は、例えば２〜３秒以内に０まで低下し、完全停止状態となる。これに対し、給湯端末への給湯動作が実施中である場合には、熱源循環ポンプ１２９の回転数が、給湯端末への給湯動作が実施中でない場合よりも長時間（例えば５倍程度、若しくは１０秒以上）かけて、０まで徐々に低下するように、熱源循環ポンプ１２９を制御する。
【００３３】
第１経路または第２経路での浴槽加熱運転と、給湯端末への給湯動作とが同時に実施中である場合において、浴槽加熱運転を終了して熱源循環ポンプ１２９を停止する際に、熱源循環ポンプ１２９を即座に停止させる動作を行うと、混合手段１１４から給湯端末への給湯温度が例えば数度程度変動することがあるが、上述したＰＳＳ制御を行うことにより、そのような給湯温度の変動を解消または抑制（例えば変動幅を２度以内など）することができる。
【００３４】
また、第１経路または第２経路での浴槽加熱運転浴槽加熱運転を終了して、第一流路切替弁１０５あるいは第二流路切替弁１０８の弁体を待機位置に戻す場合に、給湯端末への給湯動作が実施中である場合には、第一流路切替弁１０５あるいは第二流路切替弁１０８の弁体を即座に待機位置に戻すのではなく、給湯端末への給湯動作が実施中でない場合と比べて長い時間をかけて待機位置に戻すように制御しても良い。これにより、給湯端末への給湯温度の変動を更に抑制することができる。
【００３５】
なお、以上説明した各実施の形態では、浴槽水を加熱する追いだき熱交換器１２１を備えた貯湯式給湯機を例に説明したが、本発明は、浴槽水以外の被加熱物（例えば、暖房用循環水など）を加熱するための熱交換器を備えた貯湯式給湯機にも同様に適用可能である。
【符号の説明】
【００３６】
１００  貯湯ユニット、１０１  貯湯タンク、１０１ａ  第１上部口、
１０１ｂ  第２上部口、１０１ｃ  第１下部口、１０１ｄ  第２下部口、        
１０１ｅ  入水口、１０２，２０１  制御部、
１０３，１０４，１０６，１０７，１０９，１１０，１１１，１１２，１１３，１１９，１２０，１２５，１２６，１２８，１３０，１３１，１３２，１３３，１３４，１３６，１３７，１４２，１４４，１４５，１４６，２０２，２０４  配管、
１０５  第一流路切替弁、１０８  第二流路切替弁、１１４  混合手段、
１１５  給湯混合弁、１１６  風呂混合弁、１１７  風呂電磁弁、
１１８  風呂流量センサ、１２１  追いだき熱交換器、１２２  水位センサ、
１２３  フロースイッチ、１２４  風呂循環ポンプ、１２７  第三流路切替弁、
１２９  熱源循環ポンプ、１３５  排水栓、１３８，１３９，１４１  給水配管、
１４０  減圧弁、１４３  給湯流量センサ、１４７  ＨＰ戻り口、
１４８  ＨＰ往き口、１４９  排水口、１５０  給湯口、１５１  給水口、
１５２  風呂戻り口、１５３  風呂往き口、２００  ヒートポンプユニット（ＨＰＵ）、
２０３  沸き上げ用熱交換器、２０５  流入口、２０６  流出口、３００  浴槽、
３０１  浴槽アダプタ
【図１】
2014020615.tif 000003
【図２】
2014020615.tif 000004
【図３】
2014020615.tif 000005
【図４】
2014020615.tif 000006
【図５】
2014020615.tif 000007
【図６】
2014020615.tif 000008